(57)【要約】【課題】  手首に安定して保持し、映像表示部の向きを自在に可変し、畳むことを可能とする。【解決手段】  手首に固定される手首ベルト１０と、手首ベルト１０に設けられた首振り機構３ａと、首振り機構３ａに取り付けられた映像表示部２とを具備し、映像表示部２の画面６を眼の方向に向けて見ることができるようにするとともに、映像表示部２の画面６を腕１４と概略並行とすることにより、不使用時には畳むことができるようにした。【選択図】  図２
2004350327.tif 000002
【特許請求の範囲】
【請求項１】
手首に固定される手首ベルトと、
前記手首ベルトに設けられた首振り機構と、
前記首振り機構に取り付けられた映像表示部とを具備し、
前記映像表示部の画面を眼の方向に向けて見ることができるようにするとともに、前記映像表示部の画面を腕と概略並行とすることにより、不使用時には畳むことができるようにしたことを特徴とする映像表示装置。
【請求項２】
前記首振り機構は、
アーム部と、
前記映像表示部と前記アーム部とを回動自在に連結する第１の回動機構と、
前記アーム部と前記手首ベルトとを回動自在に連結する第２の回動機構と
からなることを特徴とする請求項１記載の映像表示装置。
【発明の詳細な説明】
【技術分野】
【０００１】
本発明は、小型の映像表示部を手首に安定して装着できるようにした映像表示装置に関する。
【背景技術】
【０００２】
従来の携帯型の小型映像表示装置は、例えば通勤時に電車内で見ようとするとき、文庫本などを読むときと同様に手で保持して画面を眼の方に向け見ていた。小型液晶テレビなどの液晶表示装置は、書籍類に比べてかなり重量があり、しかも書籍類は文字に視点を合わせて文章を読めばよいが、小型液晶テレビなどは画面を凝視する必要があり、揺れる車内で画面を固定することは、大変難しいことであった。
【発明の開示】
【発明が解決しようとする課題】
【０００３】
本発明が解決しようとする課題は、映像表示部を手首に安定して保持し、その向きを任意の方向に可変できる映像表示装置を提供することである。
【課題を解決するための手段】
【０００４】
上記の課題を解決するために、本発明に係る映像表示装置は、手首に固定される手首ベルトと、手首ベルトに設けられた首振り機構と、首振り機構に取り付けられた映像表示部とを具備する。この映像表示装置は、映像表示部の画面を眼の方向に向けて見ることができるようにするとともに、映像表示部の画面を腕と概略並行とすることにより、不使用時には畳むことができるようにしたことを特徴とする。
【０００５】
本発明に係る映像表示装置を構成する首振り機構は、アーム部と、映像表示部とアーム部とを回動自在に連結する第１の回動機構と、アーム部と手首ベルトとを回動自在に連結する第２の回動機構とからなる。
【発明の効果】
【０００６】
本発明に係る映像表示装置は、手首に固定される手首ベルトに設けられた首振り機構に液晶表示部を取り付けることにより、映像表示部の画面を自在に眼の方向に向けることができ、不使用時には映像表示部の画面を腕と概略並行として畳み、邪魔にならないようにできる。
【発明を実施するための最良の形態】
【０００７】
以下、本発明の実施の形態について図面を参照して説明する。
第１の実施の形態
図１〜図３を参照して本発明の第１の実施の形態の映像表示装置を説明する。
【０００８】
本発明に係る映像表示装置は、の保持装置１は、図１に示すように、小型液晶モニター等の映像表示部２の取り付け部２ａに結合されて支承する首振り機構３ａを有する保持装置１を備える。保持装置１を構成する首振り機構３ａは、アーム部３と、このアーム部３を回動自在に取り付ける取り付け部３ｂが取り付けられ、人の手首に取り付ける手段としてのホルダー４とを備える。
【０００９】
ホルダー４は、アーム部３を回動自在に取り付ける取り付け部３ｂを備え、末端が解放され、末端同士を締結する面ファスナー（マジックファスナー（登録商標））等からなる締結手段を備え柔軟性のあるプラスチック等からなる手首ベルト１０と、この手首ベルト１０に一体に形成され、直交方向に延長されたステー１１と、このステー１１の先端に固定された前腕止め部１２からなる。この前腕止め部１２はプラスチック等の弾性に富んだ材料で端部を解放したＣの字状に構成する。
【００１０】
次に、保持装置１の用い方について述べると、まず保持装置１のホルダー４の手首ベルト１０を手首に巻き付け、その端部を締結手段９で締結する。そして、前腕止め部１２の解放端部１３を弾性を利用して開き、前腕に嵌める。アーム部３の首振り機構３ａによって、画面６を自在な角度と位置に調整し、固定できるように構成されている。液晶表示部である映像表示部２の操作釦５を切り替えることによって、画面６に内蔵テレビチューナーや外部の映像再生装置７からの映像信号を再生する。図１に示す例では、映像再生装置７には、携帯型ビデオＣＤ再生機や、携帯型ＶＴＲや小型パーソナルコンピュータ等を用いることができる。そして、音声は、ヘッドホン８で聞くことができる。
【００１１】
図２（ａ）及び図２（ｂ）に本発明に係る映像表示装置２を、保持装置１を用いて腕１４に装着した状態を示す。図２（ａ）は、映像表示部２の画面６を見る場合を示し、映像表示部２の他にアーム部３も存在し、かなりのモーメントがホルダー４に加わることになるが、アーム部３の根元は手首ベルト１０で固定され、モーメントは前腕止め部１２により、前腕で受けるので、確実に保持でき、手１５は自由に動かせる。図２（ｂ）は、映像表示部２を折り畳んだ状態を示し、アーム部３を回動して映像表示装置２をステー１１の上に位置するようにしている。
【００１２】
本発明の第１の実施の形態の使用例を図３に示す。本発明に係る映像表示装置は、図３に示すように、右手にカバンをぶら下げ、左手で吊輪を掴むという電車の中でも、映像表示部２の画面６の位置は丁度眼の下辺りに来るので、容易に画面を見ることができる。また、使わないときには畳んでしまえば、点線で示したように上着の袖にぴったりと隠れてしまい都合がよい。
【００１３】
本発明に係る映像表示装置は、映像表示部を手首に回動自在に装着したので、電車内等においては、両手で吊革や、支え棒などに掴まることが可能となった。しかも、手首に映像表示部をしっかりと固定できるようにしたので、手で例えば支え棒を掴むと、手首も固定されることになり、手首に固定された映像表示部は大変安定して保持することが可能となった。
【００１４】
第２の実施の形態
次に、本発明に係る映像表示装置の第２の実施の形態を、図４及び図５に示す。図４がその詳細図である。機能的に同様の働きをなす構成部に同一の番号を付したが、この第２の実施の形態は、前述の第１の実施の形態の保持装置より、機械的な強度を向上させた形態で、アーム部３を省き、首振り機構３ａに映像表示部２に設けた回転受け部３ｃを支承させ、前腕止め部１２を、ベルト式としたものである。
【００１５】
また、映像再生装置７はデータ通信機能内蔵のパーソナルコンピュータとし、また操作釦５は手の指に嵌めて使うタイプの指輪型のスイッチ装置５として、例えば左手人差し指に嵌合し、親指で操作し、片方の手だけでも操作できる形としている。
【００１６】
その使用例を図５に示す。これは航空機などの配線などの組み立てを工具１６を使用して作業を行っている例であり、図示したごとく、膨大な作業手順書を１頁毎にめくりながら作業するかわりに、一つの作業手順を順次画面に映しだして、作業を進め、その作業が終わると指輪型で小型のスイッチ装置５を操作して次の工程に進むようにしている。このようにすることにより、作業手順書を使うのと比べ、はるかに効率良く仕事ができる。しかも両方の手は空いているので、自由に使え、作業現場での危険を回避できる余裕ができて作業の安全性を向上できる。
【図面の簡単な説明】
【００１７】
【図１】本発明に係る映像表示装置の第１の実施の形態を示す斜視図である。
【図２】本発明に係る映像表示装置を腕に装着した使用例を示す斜視図で、（ａ）は映像表示装置を起こした状態を示し、（ｂ）は映像表示装置を畳んだ状態を示す。
【図３】本発明に係る映像表示装置を電車内で使用している状態を示す斜視図である。
【図４】本発明に係る映像表示装置の第２の実施の形態を示す斜視図である。
【図５】本発明の第２の実施の形態の映像表示装置を使用している状態を示す斜視図である。
【符号の説明】
【００１８】
１  保持装置、  ２  映像表示部、  ３  アーム部、  ３ａ  首振り機構、  ３ｂ  取り付け部、  ３ｃ  回転受け部、  ４  ホルダー、  ５  スイッチ装置、  ５ａ  保持具、  ５ｂ  スイッチ、  ６  画面、  ９  締結手段、  １０  手首ベルト、  １１  ステー、  １２  前腕止め部、  １３  解放端部、  １４  腕、  １５  手
【図１】
2004350327.tif 000003
【図２】
2004350327.tif 000004
【図３】
2004350327.tif 000005
【図４】
2004350327.tif 000006
【図５】
2004350327.tif 000007